【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
１以上のタイルであって複数のブロックラインを含むタイル単位で画像を符号化した符号化データを含むビットストリームを復号する画像復号装置であって、
前記ビットストリームに含まれるヘッダ情報から、前記画像の分割状態を示す分割情報を取得する第１取得手段と、
前記第１取得手段によって取得された分割情報が、前記画像が複数のタイルに分割されて符号化されており、且つ、前記画像内のタイルが複数のブロックラインに分割されて符号化されていることを示す場合に、前記ビットストリームにおける、前記画像内の第１タイル及び当該第１タイルに隣接する第２タイルに含まれるブロックラインの符号化データの先頭位置を示す情報を取得する第２取得手段と、
前記第２取得手段によって取得された前記第１タイル及び前記第２タイルに含まれるブロックラインの符号化データの先頭位置を示す情報に基づいて、前記ビットストリームにおける前記第２タイルの符号化データを復号する復号手段と、
を有する画像復号装置。
【請求項２】
前記分割情報は、前記画像が複数のタイルに分割されて符号化されているか否かを示す第１分割情報と、前記画像内のタイルが複数のブロックラインに分割されて符号化されているか否かを示す第２分割情報とを含むことを特徴とする請求項１に記載の画像復号装置。
【請求項３】
前記第２取得手段は、前記ビットストリームにおける、前記第１タイル及び前記第２タイルに含まれるブロックラインの符号化データの先頭位置に対応するオフセットを取得し、
前記復号手段は、前記第２取得手段によって取得された各オフセットに基づいて、前記第２タイルの符号化データを復号することを特徴とする請求項１又は請求項２に記載の画像復号装置。
【請求項４】
前記第２取得手段は、前記ビットストリームにおける、前記第１タイルに含まれる複数のブロックラインの符号化データの先頭位置を示す各エントリポイントと、前記第２タイルの最初のブロックラインの符号化データの先頭位置を示すエントリポイントとを、前記ビットストリームに含まれるヘッダ情報から取得し、
前記復号手段は、前記第２取得手段によって取得された各エントリポイントに基づいて、前記第２タイルの符号化データを復号することを特徴とする請求項１又は請求項２に記載の画像復号装置。
【請求項５】
前記第１タイルに含まれるｊ番目のブロックラインの符号化データのエントリポイントは、前記第１タイルに含まれるｊ−１番目のブロックラインの符号化データの大きさに基づいて表されることを特徴とする請求項４に記載の画像復号装置。
【請求項６】
前記第１タイルに含まれるｊ番目のブロックラインの符号化データのエントリポイントは、前記第１タイルに含まれる０番目からｊ−１番目までのブロックラインの各符号化データの大きさを足し合わせた符号化データの大きさを示すことを特徴とする請求項５に記載の画像復号装置。
【請求項７】
さらに、前記第１取得手段によって取得された分割情報が、前記画像が複数のタイルに分割されて符号化されており、且つ、前記画像内のタイルが複数のブロックラインに分割されて符号化されていないことを示す場合に、前記ビットストリームにおける、前記第１タイル及び前記第２タイルの符号化データの先頭位置を示す情報を取得する第３取得手段を有し、
前記復号手段は、前記第３取得手段によって取得された前記第１タイル及び前記第２タイルの符号化データの先頭位置を示す情報に基づいて、前記第２タイルの符号化データを復号することを特徴とする請求項１乃至請求項６のいずれか一項に記載の画像復号装置。
【請求項８】
さらに、前記第１取得手段によって取得された分割情報が、前記画像が複数のタイルに分割されて符号化されておらず、且つ、前記画像が複数のブロックラインに分割されて符号化されていることを示す場合に、前記ビットストリームにおける、前記画像に含まれる第１ブロックライン及び当該第１ブロックラインに隣接する第２ブロックラインの符号化データの先頭位置を示す情報を取得する第４取得手段を有し、
前記復号手段は、前記第４取得手段によって取得された前記第１ブロックライン及び前記第２ブロックラインの符号化データの先頭位置を示す情報に基づいて、前記ビットストリームにおける前記第２ブロックラインの符号化データを復号することを特徴とする請求項１乃至請求項７のいずれか一項に記載の画像復号装置。
【請求項９】
前記復号手段は、ＷａｖｅＦｒｏｍｔ並列処理を用いて、前記第２ブロックラインの符号化データを復号することを特徴とする請求項８に記載の画像復号装置。
【請求項１０】
前記復号手段は、前記画像が複数のタイルに分割されて符号化されており、且つ、前記画像内のタイルが複数のブロックラインに分割されて符号化されている場合に、前記ヘッダ情報から、前記画像内の前記第１タイルの垂直方向のブロック数と、前記第１タイルに含まれる各ブロックラインの垂直方向のブロック数とに基づいて前記第１タイル内のブロックラインの数を取得し、取得した前記ブロックラインの数と、前記ビットストリームにおける前記第１タイルに含まれる各ブロックラインの符号化データの先頭位置とに基づいて、前記ビットストリームにおける前記第２タイルの符号化データの先頭位置を決定し、決定した先頭位置に基づいて前記第２タイルの符号化データを復号することを特徴とする請求項１乃至請求項９のいずれか一項に記載の画像復号装置。
【請求項１１】
前記ブロックラインは、前記タイル内の複数のブロックの、ライン状の集合であることを特徴とする請求項１乃至請求項１０のいずれか一項に記載の画像復号装置。
【請求項１２】
前記第２取得手段は、前記第１タイルに含まれる複数のブロックラインの符号化データの先頭位置を示す情報と、前記第２タイルの最初のブロックラインの符号化データの先頭位置を示す情報とを、前記ビットストリームに含まれるヘッダ情報から取得し、
前記復号手段は、前記第２取得手段によって取得された各先頭位置を示す情報に基づいて決定される前記第２タイルの符号化データの先頭位置を用いて、前記第２タイルの符号化データを復号することを特徴とする請求項１に記載の画像復号装置。
【請求項１３】
１以上のタイルであって複数のブロックラインを含むタイル単位で画像を符号化した符号化データを含むビットストリームを復号する画像復号方法であって、
前記ビットストリームに含まれるヘッダ情報から、前記画像の分割状態を示す分割情報を取得する第１取得工程と、
前記第１取得工程によって取得された分割情報が、前記画像が複数のタイルに分割されて符号化されており、且つ、前記画像内のタイルが複数のブロックラインに分割されて符号化されていることを示す場合に、前記ビットストリームにおける、前記画像内の第１タイル及び当該第１タイルに隣接する第２タイルに含まれるブロックラインの符号化データの先頭位置を示す情報を取得する第２取得工程と、
前記第２取得工程によって取得された前記第１タイル及び前記第２タイルに含まれるブロックラインの符号化データの先頭位置を示す情報に基づいて、前記ビットストリームにおける前記第２タイルの符号化データを復号する復号工程と、
を有する画像復号方法。
【請求項１４】
コンピュータが読み出して実行することにより、前記コンピュータを、請求項１乃至請求項１２のいずれか一項に記載の画像復号装置として機能させることを特徴とするプログラム。
【手続補正２】
【補正対象書類名】明細書
【補正対象項目名】００１０
【補正方法】変更
【補正の内容】
【００１０】
上述課題を解決するため、本発明の画像復号装置は以下の構成を有する。即ち、１以上のタイルであって複数のブロックラインを含むタイル単位で画像を符号化した符号化データを含むビットストリームを復号する画像復号装置であって、前記ビットストリームに含まれるヘッダ情報から、前記画像の分割状態を示す分割情報を取得する第１取得手段と、前記第１取得手段によって取得された分割情報が、前記画像が複数のタイルに分割されて符号化されており、且つ、前記画像内のタイルが複数のブロックラインに分割されて符号化されていることを示す場合に、前記ビットストリームにおける、前記画像内の第１タイル及び当該第１タイルに隣接する第２タイルに含まれるブロックラインの符号化データの先頭位置を示す情報を取得する第２取得手段と、前記第２取得手段によって取得された前記第１タイル及び前記第２タイルに含まれるブロックラインの符号化データの先頭位置を示す情報に基づいて、前記ビットストリームにおける前記第２タイルの符号化データを復号する復号手段と、を有する。